(57)【要約】【課題】ユーザの装置本体の過去の使用状況に応じて発光体の輝度レベルを自動で調節し、省電力化を図った録画再生装置を提供する。【解決手段】まず、第１の場面において、電源スイッチ１０４が押下されてスタンバイ状態になると、制御部４は、現在時刻をタイマー回路４Ａで確認する。そして、電源スイッチ１０４が再び押下されて電源オン状態になると、制御部４は、現在時刻をタイマー回路４Ａで確認する。そして、制御部４は、前者の時刻から後者の時刻までの間の時間をスタンバイ時間帯として記憶部５に記録する。そして、第２の場面においてタイマー回路４Ａの現在時刻がスタンバイ時間帯になると、制御部４は、蛍光表示管１０１及びＬＥＤ１０５〜１０７の輝度レベルを低くするよう表示制御部６に指示する。例えば、現在時刻が１８：００になると、表示制御部６は、現在の輝度レベル「８」を、スタンバイ時の輝度レベル「２」に調節する。【選択図】  図６
2009164935.tif 000002
【特許請求の範囲】
【請求項１】
メディアに対するデータの録画または再生を行う録画再生手段と、
発光体を有し、その発光体が発する光により情報を表示する表示手段と、
前記発光体の輝度レベルを調節する調節手段と、を備えた録画再生装置において、
現在時刻を計時する計時手段と、
所定の計測日になると、前記計時手段で計時される現在時刻を参照して、前記装置本体が、主電源オンを待ち受けるスタンバイ状態にある１日の内の時間帯を計測する計測手段と、
前記計測手段で計測された時間帯をスタンバイ時間帯として記憶する記憶手段と、を備え、
前記調節手段は、前記計時手段で計時される現在時刻が前記スタンバイ時間帯にある間、前記輝度レベルを低くする録画再生装置。
【請求項２】
前記所定の計測日を指定するための計測日指定手段を備える請求項１に記載の録画再生装置。
【請求項３】
前記計測手段は、前記スタンバイ時間帯を所定日数分計測し、
前記記憶手段は、前記スタンバイ時間帯を計測日毎に記憶する請求項１又は２に記載の録画再生装置。
【請求項４】
前記所定日数の指定を受付ける所定日数指定手段を備える請求項３に記載の録画再生装置。
【請求項５】
前記調節手段は、前記計時手段で計時される現在時刻が前記スタンバイ時間帯を過ぎると、又は何らかの操作が行われると、前記輝度レベルを元に戻す請求項１から４のいずれかに記載の録画再生装置。
【請求項６】
前記発光体は、蛍光管又はＬＥＤであり、
前記メディアは、光ディスクである請求項１から５のいずれかに記載の録画再生装置。
【発明の詳細な説明】
【技術分野】
【０００１】
本発明は、発光体による光により現在時刻などの情報を表示する録画再生装置に関し、特にその発光体の輝度レベルを時間帯により調節する録画再生装置に関するものである。
【背景技術】
【０００２】
ＤＶＤレコーダ等の録画再生装置の多くは、情報を表示するために液晶表示ディスプレイ等の表示部を備えている。この表示部は、ＬＥＤ（Ｌｉｇｈｔ  Ｅｍｉｔｔｉｎｇ  Ｄｉｏｄｅ）や蛍光管などの発光体による光により、現在時刻、録画再生装置の動作状態を示す情報、又は録画中のデータに関する情報などを表示する。
【０００３】
このような録画再生装置では、電源オン状態にあるにも係わらず使用されていない場合、例えばユーザが録画再生装置をスタンバイ状態にし忘れている場合、蛍光管やＬＥＤに電力を供給し続け、無駄な電力を消費することになる。
そこで、例えば特許文献１において、蛍光管に対する印加電圧を時間帯により変化させ、その時間帯をユーザに予め設定させる蛍光管制御方法が示されている。
【特許文献１】特開２０００−１３７４５８公報
【発明の開示】
【発明が解決しようとする課題】
【０００４】
しかしながら、その時間帯の設定では、時間帯毎の印加電圧をユーザ自らが設定しなければならない。そのため、ユーザにとっては面倒であり、結局、時間帯の設定が行わないことが多かった。よって、無駄な電力が消費され続けることになっていた。
【０００５】
本発明はこのような従来の課題を解決しようとするものであり、ユーザの装置本体の過去の使用状況に応じて発光体の輝度レベルを自動で調節し、省電力化を図った録画再生装置を提供することを目的とする。
【課題を解決するための手段】
【０００６】
本発明の録画再生装置は、前記課題を解決するために以下の構成を備えている。
【０００７】
（１）メディアに対するデータの録画または再生を行う録画再生手段と、
発光体を有し、その発光体が発する光により情報を表示する表示手段と、
前記発光体の輝度レベルを調節する調節手段と、を備えた録画再生装置において、
現在時刻を計時する計時手段と、
所定の計測日になると、前記計時手段で計時される現在時刻を参照して、前記装置本体が、主電源オンを待ち受けるスタンバイ状態にある１日の内の時間帯を計測する計測手段と、
前記計測手段で計測された時間帯をスタンバイ時間帯として記憶する記憶手段と、を備え、
前記調節手段は、前記計時手段で計時される現在時刻が前記スタンバイ時間帯にある間、前記輝度レベルを低くする。
【０００８】
この構成では、ユーザの使用状況を調査する第１の場面と、調査結果に基づいて輝度レベルを調節する第２の場面と、に分かれる。
まず、第１の場面において、ユーザが録画再生装置をスタンバイにしている時間帯が、計測手段によって計測される。計測した結果であるスタンバイ時間帯は、記憶手段に記憶される。そして、第２の場面で、発光体の輝度レベルがスタンバイ時間帯に低くなる。
これにより、ユーザの装置本体の過去の使用状況に応じて発光体の輝度レベルが調節される。そのため、録画再生装置の省電力化を図ることができる。また、その使用状況は、計測手段により自動で調査されるため、ユーザの利便性を損なうこともない。
【０００９】
（２）前記所定の計測日を指定するための計測日指定手段を備える。
【００１０】
この構成により、ユーザは、自分の使用状況に応じて所望の計測日を計測日指定手段で指定できる。
【００１１】
（３）前記計測手段は、前記スタンバイ時間帯を所定日数分計測し、
前記記憶手段は、前記スタンバイ時間帯を計測日毎に記憶する。
【００１２】
この構成では、複数日に渡って計測手段がユーザの使用状況を調査する。調査終了後、調節手段が、その調査結果に基づいて輝度レベルを調節する。
以上により、ユーザの使用状況をたくさん調査できる。
【００１３】
（４）前記所定日数の指定を受付ける所定日数指定手段を備える。
【００１４】
この構成では、上記（３）の所定日数をユーザが自由に指定できる。これにより、ユーザは、自分の使用状況に応じて所望の計測日数を所定日数指定手段で指定できる。
【００１５】
（５）前記調節手段は、前記計時手段で計時される現在時刻が前記スタンバイ時間帯を過ぎると、又は何らかの操作が行われると、前記輝度レベルを元に戻す。
【００１６】
この構成では、ユーザが過去の使用状況と異なる使い方を行った場面を想定している。ユーザが何らかの操作をした場合にまで輝度レベルを低くした状態を続けていると、表示手段の視認性が悪い。そのため、この構成では、輝度レベルを元に戻し、視認性を向上させている。
【００１７】
（６）前記発光体は、蛍光管又はＬＥＤであり、
前記メディアは、光ディスクである。
【発明の効果】
【００１８】
この発明によれば、省電力化を図ることができる。
【発明を実施するための最良の形態】
【００１９】
以下、本発明の実施形態である光ディスク装置について説明する。
【００２０】
図１は、本発明の実施形態である光ディスク装置の主要な構成を示すブロック図である。光ディスク装置５１は、光ディスク装置５１の各部の動作を制御する制御部４と、ＤＶＤ１００に対しデータの記録や読取を行うピックアップヘッド２（以下、PUヘッド２と称する。）と、RFアンプなどの記録再生部３と、ユーザによる操作を受け付けるとともに情報を表示する表示操作部７と、表示操作部７の表示動作を制御する表示制御部６と、データを記憶する記憶部５と、音声データをアナログの再生音声信号に変換するＤ／Ａコンバータ１１と、映像データをアナログの再生映像信号に変換する映像処理部１３と、デコードされた映像信号に基づく映像にＯＳＤ（On Screen Display）画像を重ね合わせた合成映像を生成するＯＳＤ処理部１２と、ＴＶ放送信号を受信してＡＶ（オーディオビデオ）データを取得する受信部１０と、を備えている。
ここで、ＰＵヘッド２、記録再生部３、映像処理部１３、Ｄ／Ａコンバータ１１、受信部１０が、本発明の「録画再生手段」に相当する。また、表示操作部７が、本発明の「表示手段」に相当する。また、表示制御部６が、本発明の「調節手段」に相当する。制御部４が、本発明の「計測手段」に相当する。また、記憶部５が、本発明の「記憶手段」に相当する。
【００２１】
また、光ディスク装置５１は、所謂ＤＶＤレコーダである。また、ＤＶＤ１００は、記録可能な光ディスクである。ＤＶＤ１００は、例えば、ＤＶＤ−Ｒ、ＤＶＤ＋Ｒ、ＤＶＤ−ＲＷ、ＤＶＤ＋ＲＷ、又はＤＶＤ−ＲＡＭである。
なお、この実施の形態では、ＤＶＤを記録媒体とするが、実施の際は、ブルーレイディスクなどの他の光ディスク、ＨＤＤ（ハード・ディスク・ドライブ）等の磁気ディスク、磁気テープ、光磁気ディスク、半導体メモリ等記録可能なものであれば良い。
【００２２】
PUヘッド２は、レーザダイオード（ＬＤ）、コリメータレンズ、ビームスプリッタ、対物レンズ、フォトディテクタ、スレッドモータ、及びアクチュエータを備えている（いずれも不図示）。
ＰＵヘッド２は、ＤＶＤ１００の半径方向に延びる軸に移動自在に取り付けられている。スレッドモータが、ＰＵヘッド２をＤＶＤ１００の半径方向に移動する。
ＬＤは、レーザ光を出力する光源である。フォトディテクタは、複数の受光素子で形成されており、ＤＶＤ１００からの反射光を検出する。
【００２３】
まず、読取時の動作について説明する。
ＰＵヘッド２は、ＤＶＤ１００に対して読取パワーのレーザ光を照射し、ＤＶＤ１００からの反射光をフォトディテクタで検出する。これにより、ＤＶＤ１００に記録されている情報を光学的に読み出す。
【００２４】
記録再生部３は、ＰＵヘッド２における複数の受光素子の出力に基づいてＲＦ信号を生成し、そのＲＦ信号を増幅する。そして、記録再生部３は、そのＲＦ信号を処理してデータを取り出す。ここで、取り出される映像と音声等のデータは、例えばＭＰＥＧでエンコードされている。そして、記録再生部３は、映像と音声等のデータをデコードする。最後に、記録再生部３は、音声データをＤ／Ａコンバータ１１に、映像データをＯＳＤ処理部１２に、両データの同期を取りながら、それぞれ出力する。
【００２５】
Ｄ／Ａコンバータ１１は、伸長された音声データをアナログの再生音声信号に変換し、その再生音声信号を外部のテレビジョン５２に出力する。
【００２６】
ＯＳＤ処理部１２は、不図示の画像メモリを内臓する。この画像メモリは、ＯＳＤ画像を示すＯＳＤ用データを格納するメモリである。
ＯＳＤ処理部１２は、制御部４から伝送される制御信号に基づいて、映像データをスルーして直接出力する場合と、映像データに基づく映像にＯＳＤ画像を重ね合わせた合成映像を生成してその合成映像データを出力する場合と、ＯＳＤ画像だけのＯＳＤ画像データを出力する場合と、で動作を切り替える。ＯＳＤ画像だけのＯＳＤ画像データを出力する場合だけは、再生していない時の動作となる。
【００２７】
映像処理部１３は、入力された映像データ、ＯＳＤ画像データまたは合成映像データをアナログの再生映像信号に変換し、外部のテレビジョン５２に出力する。
【００２８】
Ｄ／Ａコンバータ１１及び映像処理部１３には、スピーカ内臓のテレビジョン５２が接続されている。このテレビジョン５２は、Ｄ／Ａコンバータ１１及び映像処理部１３から出力された映像信号に基づく映像、及び音声信号に基づく音声を再生する。これにより、ユーザは、再生されるテレビ番組を視聴することができる。
【００２９】
次に、記録時の動作について説明する。
受信部１０は、例えばチューナである。受信部１０は、ＴＶ放送等を受信するアンテナから選択されているチャンネルのＴＶ放送信号を抽出して、Ａ／Ｄ変換してディジタル化し、出力する。
【００３０】
記録再生部３は、入力されたデータを（例えば、ＭＰＥＧで）エンコードし、ディジタル信号をＰＵヘッド２に出力する。
【００３１】
ＰＵヘッド２は、記録再生部３からディジタル信号が入力されると、このディジタル信号に応じて記録パワーのレーザ光を制御し、ＤＶＤ１００の記録面に照射する。これにより、ユーザは、テレビ番組などのコンテンツをＤＶＤ１００に録画できる。
なお、記録時においても上記ＯＳＤ表示を行う。
【００３２】
電源部８は、商用電源から光ディスク装置５１各部の駆動電源を取り出し、電源オン時には光ディスク装置５１の各部に供給する。また、電源部８は、電源オンを待ち受ける電源オフ時（スタンバイ時）に制御部４、記憶部５、表示制御部６、及び表示操作部７のみに電源を供給する。
【００３３】
記憶部５は、例えばＥＥＰＲＯＭで構成されている。記憶部５は、光ディスク装置５１の各部の制御方法が記述された制御プログラムを記憶する。
制御部４は、例えばマイクロコンピュータで構成されている。さらに、上記制御プログラムで処理されるデータを展開するためのワークフィールドとしてのＲＡＭ（不図示）と、現在時刻を計時するタイマー回路４Ａと、を内臓する。制御部４は、光ディスク装置５１にユーザから入力された命令に応じて光ディスク装置５１の各部の動作を制御する。
なお、実際の光ディスク装置では、読取時や記録時に、レーザ光の照射位置を光ディスクのトラックの中心に合わせるトラッキングサーボ制御と、レーザ光の合焦位置を光ディスクの記録面に合わせるフォーカスサーボ制御と、を行っている。しかし、本発明の実施形態では図示を省略している。
【００３４】
図２は、光ディスク装置の表示操作部の外観図である。この表示操作部７には、光ディスク装置５１の動作状態や現在時刻を表示する蛍光表示管１０１と、ユーザが直接操作するスイッチ部１０２と、ユーザのリモコンによる操作を受けるリモコン受光部１０３と、光ディスク装置５１の電源をスタンバイ状態（待機中）と電源オン状態（動作可能）とに切換えるための電源スイッチ１０４と、光ディスク装置５１の電源のオン／オフ状態に応じて発光する電源確認用ＬＥＤ１０５と、光ディスク装置５１の録画状態を表示する録画動作確認用ＬＥＤ１０６と、ＤＶＤドライブ１０８内にＤＶＤがセットされているかどうかを表示するディスク検出結果表示用ＬＥＤ１０７と、ＤＶＤディスクへ記録・再生するためのＤＶＤドライブ１０８を有している。上記電源確認用ＬＥＤ１０５は、光ディスク装置５１の電源がオン状態のときには緑色に発光し、電源オフ状態（スタンバイ状態）のときには赤で点する。
【００３５】
その他、表示操作部７には、ユーザが光ディスク装置５１に対して各種の命令（コマンド）を入力するための複数のキーが設けられている。ユーザは、これらのキーのいずれかを操作することにより、電源オンオフの切り替え、日付の設定、録画予約などの命令を光ディスク装置５１に行う。光ディスク装置５１に対してユーザが入力したコマンドは、表示操作部７から制御部４に伝送される。
上記複数のキーの中には、ＤＶＤ１００に記録されたコンテンツの再生を指示するための再生キーと、ＤＶＤ１００へのコンテンツの記録を指示するための録画キーと、録画チャンネルと録画開始時刻と終了時刻などの録画予約情報の入力を受付ける録画予約キーと、が含まれる。
なお、この録画予約情報は、記憶部５に登録される。そして、録画開始時刻になると、制御部４が録画を開始する。
【００３６】
表示制御部６は、例えばＶＦＤドライバで構成される。また、表示制御部６は、制御部４の指示に応じて、表示操作部７に設けられている蛍光表示管１０１及びＬＥＤ１０５〜１０７の輝度レベルを調節する。例えば、表示制御部６は、電源オン時には輝度レベルを「８」に調節し、スタンバイ時には輝度レベルを「２」に調節する。ここで、輝度レベルの調節方法について以下詳述する。
表示制御部６は、制御部４から入力された制御信号に従って、表示管のグリット駆動のパルス幅を可変することにより蛍光表示管１０１の輝度を調節する。蛍光表示管１０１の輝度は、グリット駆動のパルス幅が長い場合には明るく、短い場合には暗くなる。
表示制御部６は、制御部４から入力された制御信号に従って、電源確認用ＬＥＤ１０５，録画動作確認用ＬＥＤ１０６，ディスク検出結果表示用ＬＥＤ１０７のＬＥＤの輝度を調節する。電源確認用ＬＥＤ１０５，録画動作確認用ＬＥＤ１０６，ディスク検出結果表示用ＬＥＤ１０７のＬＥＤの輝度は、ＬＥＤに流れる電流量が大きい程明るく、小さい程暗くなる。また、ＬＥＤの輝度の制御方法としてＬＥＤへの通電の入切を短時間に繰り返し、残像現象によりＬＥＤが点灯しているように見せる時分割制御を採用している場合にはＬＥＤの通電時間を長くすることにより明るく、短い場合には暗くなる。
【００３７】
ここで、ユーザの使用状況を調査する第１の場面と、調査結果に基づいて輝度レベルを調節する第２の場面と、に分けて説明する。まず、第１の場面から説明する。
【００３８】
図３は、本発明の実施形態である光ディスク装置の制御部が行う動作を示すフローチャートである。図４は、記憶部５に記憶される記憶内容の一例を示す図である。図３の動作は、計測日に行われる動作である。計測日としては、ユーザの通常の使用状況を計測できる日が相応しく、例えば、月初めがあげられる。そして、制御部４は、計測日である５月１日がくると、ユーザの使用状況の調査を開始する。そして、制御部４は、その調査結果を記憶部５に保存する。
【００３９】
まず、電源スイッチ１０４が押下されると、制御部４は、光ディスク装置５１をスタンバイにするよう電源部８に指示する（Ｓ１）。さらに、制御部４は、現在時刻をタイマー回路４Ａで確認する（Ｓ２）。この時刻情報は、内蔵のＲＡＭに記憶される。
【００４０】
電源スイッチ１０４が再び押下されると（Ｓ３）、制御部４は、光ディスク装置５１を電源オン状態にするよう電源部８に指示する（Ｓ４）。さらに、制御部４は、現在時刻をタイマー回路４Ａで確認する（Ｓ５）。そして、制御部４は、Ｓ２の時刻からＳ５の時刻までの間の時間をスタンバイ時間帯として記憶部５に記録し（Ｓ６）、本処理を終了する。
【００４１】
以上の動作は、電源スイッチ１０４が再び押下されて電源オフ（スタンバイ）が命令されると、再実行される。これにより、図４に示すような表が記憶部５で完成する。
なお、表示操作部７に、計測日を指定するための計測日指定キーを設けても構わない。これにより、ユーザは、自分の使用状況に応じて所望の計測日を計測日指定キーで指定できる。
また、計測日は、５月１日の１日だけにせず、図４に示すように３日分とっても構わない。１ヶ月分とっても構わない。これにより、ユーザの使用状況をたくさん調査できる。また、さらに、表示操作部７に、所定日数の指定を受付ける所定日数指定キーを設け、この日数をユーザが自由に指定できるようにしても構わない。これにより、ユーザは、自分の使用状況に応じて所望の計測日数を所定日数指定キーで指定できる。
【００４２】
次に、第２の場面について以下説明する。
図５は、本発明の実施形態である光ディスク装置の制御部が使用状況計測後に行う動作を示すフローチャートである。図５では、ユーザが光ディスク装置５１を電源オン状態のままスタンバイ状態にし忘れている場面を想定している。この場面では、蛍光表示管１０１及びＬＥＤ１０５〜１０７に電力を供給し続け、無駄な電力を消費することになる。また、図６は、表示操作部７に設けられている蛍光表示管１０１及びＬＥＤ１０５〜１０７の輝度レベルと時刻との関係を示す図である。図６に示されているグラフは、図４に示す５月１日のスタンバイ時間帯に基づくグラフである。
なお、図６に示されているグラフは、図４に示す５月１日から５月３日までのスタンバイ時間帯にも基づいている。
【００４３】
まず、タイマー回路４Ａの現在時刻が記憶部５のスタンバイ時間帯になると（Ｓ１０１）、制御部４は、蛍光表示管１０１及びＬＥＤ１０５〜１０７の輝度レベルを低くするよう表示制御部６に指示する（Ｓ１０２）。例えば、現在時刻が１８：００になると、表示制御部６は、現在の輝度レベル「８」を、スタンバイ時の輝度レベル「２」に調節する。
以上により、ユーザの装置本体の過去の使用状況に応じて省電力化を図ることができる。また、その使用状況は、図３及び図４で説明したように自動で調査されるため、ユーザの利便性を損なうこともない。
なお、この実施形態では輝度レベルを「２」に下げているが、実施の際はこのレベルに限定することはなく、「３」や「０」などでも構わない。
【００４４】
次に、制御部４は、タイマー回路４Ａで計時される現在時刻がスタンバイ時間帯を過ぎると（Ｓ１０３）、又は表示操作部７で電源スイッチ１０４以外のキーに対して何らかの操作が行われると（Ｓ１０４）、輝度レベルを元に（「８」に）戻す（Ｓ１０５）。そして、制御部４は、Ｓ１０１に戻る。
Ｓ１０４では、ユーザが過去の使用状況と異なる使い方を行った場面を想定している。ユーザが何らかの操作をした場合にまで輝度レベルを低くした状態を続けていると、表示操作部７の視認性が悪い。そのため、Ｓ１０４、Ｓ１０５において、輝度レベルを元に戻し、視認性を向上させている。
なお、ユーザが電源スイッチ１０４を操作したということは、電源オンしたままであることに気付き、ユーザが光ディスク装置５１をスタンバイにしようとしたということである。そのため、Ｓ１０４では、電源スイッチ１０４の操作を除いている。
また、録画予約に基づいて光ディスク装置５１が録画を開始した場合、Ｓ１０３及びＳ１０４では判定否定であるので、輝度レベルは（「２」で）維持される。
【図面の簡単な説明】
【００４５】
【図１】本発明の実施形態である光ディスク装置の主要な構成を示すブロック図
【図２】本発明の実施形態である光ディスク装置の表示操作部の外観図
【図３】本発明の実施形態である光ディスク装置の制御部が使用状況計測時に行う動作を示すフローチャート
【図４】記憶部に記憶される記憶内容の一例を示す図
【図５】本発明の実施形態である光ディスク装置の制御部が使用状況計測後に行う動作を示すフローチャート
【図６】表示操作部７に設けられている蛍光表示管１０１及びＬＥＤ１０５〜１０７の輝度レベルと時刻との関係を示す図
【符号の説明】
【００４６】
２−ピックアップヘッド
３−記録再生部
４−制御部
４Ａ−タイマー回路
５−記憶部
６−表示制御部
７−表示操作部
８−電源部
１０−受信部
１１−Ｄ／Ａコンバータ
１２−ＯＳＤ処理部
１３−映像処理部
５１−光ディスク装置
５２−テレビジョン
１００−ＤＶＤ
１０１−蛍光表示管
１０２−スイッチ部
１０３−リモコン受光部
１０４−電源スイッチ
１０５−電源確認用ＬＥＤ
１０６−録画動作確認用ＬＥＤ
１０７−ディスク検出結果表示用ＬＥＤ
１０８−ＤＶＤドライブ
【図１】
2009164935.tif 000003
【図２】
2009164935.tif 000004
【図３】
2009164935.tif 000005
【図４】
2009164935.tif 000006
【図５】
2009164935.tif 000007
【図６】
2009164935.tif 000008